(57)【要約】【課題】  捺印時の感触が良好で、捺印時に印影面が紙面等に片当たりして、印影が不鮮明となるのを防止し得る構成を備えた印鑑を提供すること。【解決手段】  円柱状の把持部本体１と、下面に印影面９ａを刻印した印影刻印部９とが、連結ロッド７を備えたボール部材６と、当該ボール部材を包持して抜け止め作用をなすボールホルダ３ａ，３ｂより構成されたボールジョイントを介して連結されている。前記ボールホルダ３ａ，３ｂは分割面４における接合状態において、中間部材２に形成されたホルダ収容部２ａに嵌め込まれ、さらに中間部材２は把持部本体１に形成された内部空間１ａ内に嵌め込まれて印鑑が構成されている。【選択図】  図１
2005335114.tif 000002
【特許請求の範囲】
【請求項１】
印影刻印部と把持部本体とが、連結ロッドを備えたボール部材と当該ボール部材を包持して抜け止め作用をなすボールホルダより構成されたボールジョイントを介して連結されていることを特徴とする印鑑。
【請求項２】
前記印影刻印部と把持部本体とは、両者のそれぞれの軸芯部において、前記ボールジョイントを介して連結されていることを特徴とする請求項１に記載の印鑑。
【請求項３】
前記印影刻印部と把持部本体との間には、前記ボールジョイントを取り巻くようにして弾性部材が介在されていることを特徴とする請求項１または請求項２に記載の印鑑。
【請求項４】
前記弾性部材はコイルバネであることを特徴とする請求項３に記載の印鑑。
【請求項５】
前記ボールジョイントを構成するボールホルダは、前記ボール部材を包持するボール受け部を通るようにして分割面が形成され、当該分割面において複数に分割されるように構成されていることを特徴とする請求項１ないし請求項４のいずれか１項に記載の印鑑。
【請求項６】
前記ボールホルダは、前記分割面を合わせた接合状態において外形が円柱状もしくは角柱状に構成されると共に、その一端部において前記ボール受け部が形成され、接合状態の前記ボールホルダを円筒状もしくは角筒状に形成された収容部内に嵌め込むことにより、ボールホルダの接合状態が保持されるように構成したことを特徴とする請求項５に記載の印鑑。
【請求項７】
前記印影刻印部における印影面の直径または最大幅をＤとし、印影刻印部の高さをＨとしたとき、Ｄ＞２Ｈの関係に構成されていることを特徴とする請求項１ないし請求項５のいずれか１項に記載の印鑑。
【発明の詳細な説明】
【技術分野】
【０００１】
この発明は、捺印時の感触が良好で、捺印時に印影面が紙面等に片当たりして、印影が不鮮明となるのを防止し得る構成を備えた印鑑に関する。
【背景技術】
【０００２】
現状において多用されている印鑑は、比較的硬質な材料により円柱状もしくは角柱状に形成され、その一方の端面に印影を刻印した構成にされている。このために印鑑は捺印時に紙面等に対して垂直となるように把持しなければならず、慎重に捺印しても印影面が紙面等に片当たりして印影が不鮮明になるといった問題を抱えている。
【０００３】
特に、捺印しようとする前記紙面等を載置する下側の机上面等が剛体であるほど、印影面の片当たりが顕著に発生して不満足な印影になることを度々経験する。それ故、印影を鮮明に捺印しようとして、多少力を込めて印鑑を押しつけるなどの操作を行なうと、その応力により印影面が紙面上において僅かにずれて、印影ににじみを発生させてしまい、印影としての用をなさない結果を招来させる。
【０００４】
そこで、前記したような問題点を解消するために、端面に印影を刻印した印影刻印部と、把持部本体とを別体に形成し、両者を弾性部材を介して接続した構成の印鑑（例えば特許文献１参照）、あるいは印影刻印部と、把持部本体とを屈曲可能な芯材等を用いて接続した構成の印鑑（例えば特許文献２参照）が提案されている。
【特許文献１】実開昭６３−２１０５１号公報
【特許文献２】特開平１０−２０２９９５号公報
【発明の開示】
【発明が解決しようとする課題】
【０００５】
ところで、前記した特許文献１、２に示された構成の印鑑によると、把持部本体の姿勢に多少のずれがあっても、印影刻印部は弾性部材もしくは屈曲可能な芯材を介して紙面等に当接するので、印影面が紙面等に片当たりするのを、ある程度防止できることが期待される。しかしながら、特許文献１、２に示された構成の印鑑によると、印影刻印部と把持部本体とを連結する弾性部材もしくは屈曲可能な芯材がいわば緩衝材として作用して捺印時の押圧力を吸収する結果、捺印時の感触を悪くするという別の問題が発生する。
【０００６】
また、前記特許文献２には、さらに当該特許文献の図３に示されたように、印影刻印部と把持部本体とを蛇腹部を有する円筒体で接合し、その内部にボールを配置した構成の印鑑も開示されている。この構成の印鑑によると、前記したように捺印時の押圧力を吸収する素材は含まれないので、捺印時の感触を悪くするという問題は回避できる。しかしながら、実際の商品として考えた場合には、前記蛇腹部は印影刻印部と把持部本体との間に配置されるボールに対して両者が常に当接する作用が働くように構成させなければならず、また前記蛇腹部にはある程度の耐久性も持たせなければならない。
【０００７】
したがって、前記した条件を満足する蛇腹部を構成しようとした場合には、蛇腹部に相当な柔軟性を持たせることは難しくなる。故に、前記蛇腹部は把持部本体に対する印影刻印部のフレキシブル性を疎外させる要因となり、把持部本体の姿勢にずれがあった場合において、印影面が紙面上に平行するように柔軟に当接する作用は期待できなくなる。換言すれば、前記したように印影面が紙面等に片当たりするという問題を根本的に解決することは困難になる。
【０００８】
この発明は、前記した従来において提案されている印鑑が持つ問題点に着目してなされたものであり、捺印時の感触が良好であり、多少無造作に捺印操作を行なっても常に鮮明な捺印結果を得ることができる印鑑を提供することを解決課題とするものである。
【課題を解決するための手段】
【０００９】
前記した課題を解決するためになされたこの発明にかかる印鑑は、請求項１に記載のとおり、印影刻印部と把持部本体とが、連結ロッドを備えたボール部材と当該ボール部材を包持して抜け止め作用をなすボールホルダより構成されたボールジョイントを介して連結されている点に特徴を有する。
【００１０】
この場合、請求項２に記載のとおり、前記印影刻印部と把持部本体とは、両者のそれぞれの軸芯部において、前記ボールジョイントを介して連結された構成にされていることが望ましい。
【００１１】
これに加えて、請求項３に記載のとおり、前記印影刻印部と把持部本体との間には、前記ボールジョイントを取り巻くようにして弾性部材が介在されていることが望ましい。この場合、請求項４に記載のとおり、前記弾性部材として好ましくはコイルバネが用いられる。
【００１２】
一方、請求項５に記載のとおり、前記ボールジョイントを構成するボールホルダは、前記ボール部材を包持するボール受け部を通るようにして分割面が形成され、当該分割面において複数に分割されるように構成されていることが望ましい。この場合、好ましくは請求項６に記載のとおり、前記ボールホルダは、前記分割面を合わせた接合状態において外形が円柱状もしくは角柱状に構成されると共に、その一端部において前記ボール受け部が形成され、接合状態の前記ボールホルダを円筒状もしくは角筒状に形成された収容部内に嵌め込むことにより、ボールホルダの接合状態が保持されるように構成される。
【００１３】
さらに加えて、この発明にかかる印鑑は、請求項７に記載のとおり前記印影刻印部における印影面の直径または最大幅をＤとし、印影刻印部の高さをＨとしたとき、Ｄ＞２Ｈの関係に構成されていることが望ましい。
【発明の効果】
【００１４】
前記した請求項１に記載の印鑑によると、印影刻印部と把持部本体とは、ボールジョイントを介して連結された構成とされるので、把持部本体に対する印影刻印部のフレキシブル性は十分に確保され、捺印時において印影面は例えば紙面上に常に平行に当接するように作用する。これにより、印影面が紙面等に片当たりするという問題を解決することができる。また、印影刻印部と把持部本体とは、ボール部材とこのボール部材を包持するボールホルダからなるボールジョイントによって連結された構成とされるので、捺印時において前記した緩衝材として作用する要素はなく、捺印時の感触を悪くするという問題も解消できる。
【００１５】
この場合、請求項２に記載した構成のように、印影刻印部と把持部本体とが、両者のそれぞれの軸芯部において、ボールジョイントを介して連結された構成とすることで、前記した作用効果をより確実に発揮させることができる。
【００１６】
また、前記した構成に加え請求項３に記載した構成のように、印影刻印部と把持部本体との間において、ボールジョイントを取り巻くようにして弾性部材を介在させた構成とすることで、非捺印時において把持部本体と印影刻印部とは、弾性部材の作用により両者の軸芯を一致させた外形形状を保持させることができる。このために、印鑑の非使用時においては、把持部本体と印影刻印部を含む印鑑の外形形状を、円柱状もしくは角柱状などの形態に保持させることが可能となる。
【００１７】
この場合、特に請求項４に記載したように、前記した弾性部材としてコイルバネを用いた構成とした場合、後で説明する実施の形態の説明によって理解できるとおり、コイルバネを把持部本体内に形成した円環状の溝内に収容して、コイルバネをストロークの長い状態で利用することができる。これにより、非使用時において把持部本体と印影刻印部との軸芯を一致させた外形形状を保持させる機能を果たすコイルバネが、把持部本体に対する印影刻印部のフレキシブル性に影響を与えるのを最小限にとどめることができる。
【００１８】
一方、請求項５に記載した構成のように、ボールジョイントを構成するボールホルダにおいては、ボール部材を包持するボール受け部を通るようにして分割面を形成し、この分割面において複数に分割できるように構成することで、前記ボール部材を包持して抜け止め作用をするボールホルダの組み立ての操作性を向上させることができる。
【００１９】
さらに、請求項６に記載した構成のように、ボールホルダにおける前記分割面を合わせた接合状態において、ボールホルダの外形が円柱状もしくは角柱状となるように構成し、接合状態の前記ボールホルダを円筒状もしくは角筒状に形成された収容部内に嵌め込む構成としたことで、ボールジョイントの組み立ての操作性をなお一層向上させることができる。
【００２０】
さらにまた、請求項７に記載のように、前記印影刻印部における印影面の直径または最大幅をＤとし、印影刻印部の高さをＨとしたとき、Ｄ＞２Ｈの関係に構成することで、前記ボールジョイントを介した捺印操作の作用点を、印影刻印部における印影面により近づけることができる。これにより、より安定した捺印操作を保証することができ、鮮明な捺印結果を得ることができる。
【発明を実施するための最良の形態】
【００２１】
以下、この発明にかかる印鑑の構成について、図に示す実施の形態に基づいて説明する。まず、図１はその第１の実施の形態を分解した状態で示したものである。符号１は印鑑の把持部本体を示しており、これは外形が円柱形状になされており、その内部には破線で示したようにその下端部から円筒状の内部空間１ａが穿設されており、この結果、把持部本体１は上端部が閉塞された円筒状に構成されている。
【００２２】
前記把持部本体１に形成された内部空間１ａには、符号２で示す外形形状が円柱状に形成された中間部材が嵌め込まれるようになされている。この中間部材２においても、その内部には破線で示したようにその下端部から円筒状の内部空間２ａが穿設されており、この結果、中間部材２においても上端部が閉塞された円筒状に構成されている。なお、この実施の形態においては、中間部材２に形成された前記内部空間２ａは、後述するボールホルダの収容部を構成している。
【００２３】
符号３ａおよび３ｂは、この２つによってボールホルダを構成しており、これはボールジョイントの一方を構成するものである。このボールホルダ３ａ，３ｂは、その中央部を通る縦方向の分割面４によって二分割されている。すなわち前記ボールホルダ３ａ，３ｂは、この実施の形態においては前記分割面４を互いに合わせた接合状態において、外形が円柱状に構成される。そして、分割面４において接合状態とした前記ボールホルダ３ａ，３ｂを、前記中間部材２に形成された内部空間２ａ内に、すなわちボールホルダの収容部内に嵌め込むことにより、ボールホルダの接合状態が保持されるように構成されている。
【００２４】
一方、前記ボールホルダ３ａ，３ｂには、その一端部（図１において下端部）において、後述するボール部材を包持するボール受け部５が形成されている。なお、図１に示された例においては、ボールホルダ３ａ，３ｂの向きの関係で、ボールホルダ３ｂ側にはボール受け部は描かれていないが、これは前記した分割面４を対称としてボールホルダ３ａ，３ｂのそれぞれに形成されている。したがって、この実施の形態においては前記ボール受け部５の中央部を通るようにして、前記分割面４が形成されている。
【００２５】
符号６はボールジョイントの他方を構成するボール部材を示しており、このボール部材６には一体に連結ロッド７が形成されている。このボール部材６と一体に形成された前記連結ロッド７は、後述する補強板８に形成された貫通孔８ａをとおり、印影刻印部９のほぼ軸芯位置に形成された有底孔９ｂに圧入、もしくは接着剤を介して装着されている。
【００２６】
なお、前記印影刻印部９は、この実施の形態においては角柱状になされ、その下面が印影を刻印した印影面９ａになされている。また前記補強板８は前記印影刻印部９と同様に矩形状に形成されており、これは印影刻印部９の上面に対して、必要に応じて接着剤等により貼着される。この補強板８は前記印影刻印部９を構成する素材が比較的柔らかいものである場合に、印影刻印部９を補強する機能を果たす。したがって、印影刻印部９の素材の如何によっては前記補強板８は必ずしも必要ではない。
【００２７】
以上説明した図１に示す構成において、一対のボールホルダ３ａ，３ｂの分割面４を合わせて接合することで、各ボールホルダに形成されたボール受け部５によって、印影刻印部９に装着した状態のボール部材６を包持することができる。そして、前記ボール部材６を包持して、外形が円柱状に構成されたボールホルダ３ａ，３ｂを、前記した中間部材２に形成された内部空間（ボールホルダの収容部）２ａ内に嵌合することで、ボールホルダ３ａ，３ｂの接合状態が保持され、ボールジョイントが組み立てられる。
【００２８】
これにより、ボールホルダ３ａ，３ｂに形成された一対のボール受け部５は、前記ボール部材６を保持して、抜け止め作用を果たすことができる。この状態で、さらに前記中間部材２を、把持部本体１に形成された内部空間１ａに嵌め込むことで、印鑑の組み立てが完了する。
【００２９】
なお、前記した実施の形態においては、把持部本体１に形成された内部空間１ａ内に、前記中間部材２が軸芯がほぼ一致した同心円状に嵌め込まれ、さらに接合状態のボールホルダ３ａ，３ｂは、前記した中間部材２に形成された内部空間（ボールホルダの収容部）２ａ内に軸芯がほぼ一致した同心円状に嵌め込まれる。一方、前記したようにボール部材６における前記連結ロッド７は、印影刻印部９のほぼ軸芯位置に装着されており、したがって前記把持部本体１と印影刻印部９とは、両者のそれぞれの軸芯部において、前記ボールジョイントを介して連結された構成になされる。
【００３０】
前記した構成の印鑑によると、すでに効果の欄においても説明したように、捺印時において紙面等に対して把持部本体が垂直状態の姿勢からずれがあっても、前記ボールジョイントの作用により印影刻印部における印影面９ａは紙面上に抵抗なく常に平行に当接するように作用する。これにより多少無造作な捺印操作を行なっても、紙面等に対して鮮明な捺印を行なうことができる。また、把持部本体と印影刻印部とがボールジョイントによって連結されているので、捺印時の感触を損なうことなく、捺印操作を行なうことが可能であり、また印鑑として十分な耐久性も確保することができる。
【００３１】
図２はこの発明にかかる印鑑の第２の実施の形態を示したものであり、図２（ａ）は組み立てられた状態における印鑑を側面より透視した状態で示しており、図２（ｂ）は図２（ａ）におけるＡ−Ａ線より矢印方向に見た断面図で示している。なお、この図２においてはすでに説明した図１に示す各部と同一機能を果たす部分を同一符号で示している。したがって、その詳細な説明は適宜省略する。
【００３２】
図２に示す形態においては、円柱状に形成された把持部本体１と同形状の印影刻印部９が備えられており、これに加えて図２に示す形態においては、把持部本体１と印影刻印部９との間に弾性部材としてのコイルバネ１０が介在されている点において、図１の構成と相異がある。そして、この図２に示す実施の形態においては、前記コイルバネ１０の一端は把持部本体１と中間部材２との間に形成された環状の溝１ｂ内に圧縮状態で収容され、その他端は補強板８に当接されている。これにより前記コイルバネ１０は、前記したボールジョイントを取り巻くようにして装着されている。
【００３３】
図２に示した構成の印鑑によると、すでに効果の欄においても説明したように、前記したコイルバネ１０の拡開作用により、把持部本体１と印影刻印部とは、両者の軸芯を一致させた外形形状を保持させることができる。また、前記コイルバネ１０は円環状の溝１ｂ内に収容した構成にされているので、コイルバネをストロークの長い状態で利用することができ、把持部本体１に対する印影刻印部９のフレキシブル性に影響を与えるのを最小限にとどめることができる。
【００３４】
一方、図２に示す実施の形態においては、先に説明したとおり印影刻印部９は円柱状に形成されている。この印影刻印部９における印影面９ａの直径をＤとし、印影刻印部の高さをＨとしたとき、Ｄ＞２Ｈの関係に構成されていることが望ましい。印影刻印部９を前記した寸法関係に構成することで、前記ボールジョイントを介した捺印操作の作用点を、印影刻印部における印影面により近づけることができる。これにより、より安定した捺印操作を保証することができ、鮮明な捺印結果を得ることができる。
【００３５】
なお、前記した説明は印影刻印部９が円柱状に形成され、印影面９ａが円形に構成されたいわゆる丸印の場合を例にしたものである。ここで、例えば図１に示したように印影刻印部９が角柱状に形成され、印影面９ａが矩形状になされたいわゆる角印の場合においては、その印影面９ａの最大幅、すなわち長辺の長さを前記したＤとし、印影刻印部の高さをＨとしたとき、同様にＤ＞２Ｈの関係に構成されていることが望ましく、この場合においても前記と同様の作用効果を得ることができる。
【００３６】
次に図３はこの発明にかかる印鑑の第３の実施の形態を示したものであり、図２（ａ）は印影刻印部９部分を上部から見た状態の透視図であり、（ｂ）は組み立てられた状態における印鑑の全体を側面から視た透視図で示している。なお、この図３においてもすでに説明した図１および図２に示す各部と同一機能を果たす部分を同一符号で示している。したがって、その詳細な説明は適宜省略する。
【００３７】
この図３に示す実施の形態においては、角柱状に形成された把持部本体１と、同形状の印影刻印部９が備えられており、この点について図２に示した実施の形態と相違しており、その他の構成については図２に示した実施の形態と同一である。したがって、この図３に示した構成においても図２に示した構成の印鑑と同様の作用効果を得ることができる。
【００３８】
なお、図１〜図３に示した各実施の形態においては、ボールホルダは符号３ａ，３ｂで示したように２つに分割できるように構成されているが、これは３つ以上に分割されるように構成されていても良い。また、前記した中間部材２を省略して、接合状態のボールホルダ３ａ，３ｂを、把持部本体１に形成された内部空間１ａ内に、直接嵌合するように構成しても、同様の作用効果を期待することができる。
【００３９】
また、ボールジョイント部を樹脂材料により形成し、ボールホルダを前記したように分割せずにボール部材をボールホルダに圧入することで両者を連結してもよい。また、ボール部材の連結ロッドにねじを形成し、ねじ込みによりボール部材を印影刻印部に装着することもできる。さらに、以上説明した実施の形態においては把持部本体側にボールホルダを、印影刻印部側にボール部材が装着されているが、これとは逆に把持部本体側にボール部材を、印影刻印部側にボールホルダを装着した構成であっても、前記と同様な作用効果を得ることができる。さらにまた、把持部本体においても図１および図２に示した円柱状、図３に示した角柱状に限らず、これ以外の任意の形状のものを採用することができる。
【図面の簡単な説明】
【００４０】
【図１】この発明にかかる印鑑の第１の実施の形態を示した分解斜視図である。
【図２】（ａ）は組み立てられた状態におけるこの発明にかかる印鑑の第２の実施の形態を側面から視た透視図であり、（ｂ）は（ａ）におけるＡ−Ａ線より矢印方向に見た断面図である。
【図３】（ａ）は同じく組み立てられた状態におけるこの発明にかかる印鑑の第３の実施の形態において印影刻印部を上部から見た状態の透視図であり、（ｂ）は側面から視た透視図である。
【符号の説明】
【００４１】
１          把持部本体
１ａ        内部空間
１ｂ        環状空間部
２          中間部材
２ａ        内部空間（ボールホルダの収容部）
３ａ，３ｂ  ボールホルダ
４          分割面
５          ボール受け部
６          ボール部材
７          連結ロッド
８          補強板
８ａ        貫通孔
９          印影刻印部
９ａ        印影面
９ｂ        有底孔
１０        コイルバネ（弾性部材）
【図１】
2005335114.tif 000003
【図２】
2005335114.tif 000004
【図３】
2005335114.tif 000005